(57)【要約】【課題】動画ファイルのサムネイルイメージを一覧表示を完了するまでに時間を短縮するとともに、サムネイルイメージの管理を効率的に行う。【解決手段】制御部１００は、一度サムネイルイメージを表示した動画ファイルについては、内蔵するキャッシュメモリ１０１に保存しておき、再びその動画ファイルのサムネイルイメージを表示する場合には、キャッシュメモリ１０１から読み出して表示する。また制御部１００は、キャッシュメモリ１０１に保持しておくサムネイルイメージを最後に表示した時刻について、対応テーブルの最終参照時刻情報で管理し、新規のサムネイルイメージを作成した場合に、最も用いられないサムネイルイメージを削除して、代わりに新規のサムネイルイメージを保持するようにしたものである。【選択図】      図１
2011193387.tif 000002
【特許請求の範囲】
【請求項１】
画像を表示する表示手段と、
複数の動画ファイルを記憶する第１記憶手段と、
揮発性の記憶媒体を用いて情報を記憶する第２記憶手段と、
前記第１記憶手段が記憶する動画ファイルの識別情報が対応づけられたサムネイル画像を前記第２記憶手段が記憶していない前記動画ファイルについては、この動画ファイルからサムネイル画像を生成して前記表示手段に表示するとともに、この生成したサムネイル画像を前記動画ファイルの識別情報に対応づけて前記第２記憶手段に記録し、一方、前記第１記憶手段が記憶する動画ファイルの識別情報が対応づけられたサムネイル画像を前記第２記憶手段が記憶している前記動画ファイルについては、前記サムネイル画像を前記第２記憶手段から読み出して前記表示手段に表示するサムネイル表示制御手段とを具備することを特徴とする動画像表示装置。
【請求項２】
さらに、第２記憶手段が記憶するサムネイル画像を前記表示手段に表示した時刻を示す参照時刻情報を管理する管理手段と、
前記サムネイル表示制御手段がサムネイル画像を生成した場合に、前記管理手段が管理する参照時刻情報を参照し、最も古い時刻のサムネイル画像を前記第２記憶手段から削除する画像削除手段とを備えることを特徴とする請求項１に記載の動画像表示装置。
【請求項３】
前記第２記憶手段はリングバッファ構造を有し、
さらに、前記サムネイル表示制御手段がサムネイル画像を生成した場合に、前記リングバッファ構造を有する第２記憶手段の先頭の位置に生成したサムネイル画像を登録するとともに、最後の位置からサムネイル画像を削除する画像管理手段とを備えることを特徴とする請求項１に記載の動画像表示装置。
【請求項４】
前記サムネイル表示制御手段は、前記第１記憶手段が記憶する動画ファイルの識別情報を含むファイル名が設定されたサムネイル画像を前記第２記憶手段が記憶していない前記動画ファイルについては、この動画ファイルからサムネイル画像を生成して前記表示手段に表示するとともに、この生成したサムネイル画像に前記動画ファイルの識別情報を含むファイル名を設定して前記第２記憶手段に記録し、一方、前記第１記憶手段が記憶する動画ファイルの識別情報を含むファイル名が設定されたサムネイル画像を前記第２記憶手段が記憶している前記動画ファイルについては、前記サムネイル画像を前記第２記憶手段から読み出して前記表示手段に表示することを特徴とする請求項１に記載の動画像表示装置。
【請求項５】
第１記憶手段が記憶する動画ファイルのうち、動画ファイルの識別情報が対応づけられたサムネイル画像を揮発性の記憶媒体からなる第２記憶手段が記憶していない動画ファイルについては、この動画ファイルからサムネイル画像を生成して表示手段に表示するとともに、この生成したサムネイル画像を前記動画ファイルの識別情報に対応づけて第２記憶手段に記録する工程と、
前記第１記憶手段が記憶する動画ファイルのうち、動画ファイルの識別情報が対応づけられたサムネイル画像を前記第２記憶手段が記憶している前記動画ファイルについては、前記サムネイル画像を前記第２記憶手段から読み出して前記表示手段に表示する工程とを具備することを特徴とする動画像表示方法。
【発明の詳細な説明】
【技術分野】
【０００１】
この発明の実施形態は、動画像表示装置に関する。
【背景技術】
【０００２】
周知のように、デジタルテレビ放送録画機、動画撮影機能付きディジタルカメラ、ワンセグ放送受信機能付き携帯電話機など、受信または撮影によって得た動画ファイルを保存する機能を備えた機器が普及している。これらの機器では、保存している動画ファイルをユーザが管理しやすくするために、各動画ファイルに基づいてサムネイルイメージ（縮小した静止画像データ）を生成して、これを一覧表示する機能を備えるものがある（例えば、特許文献１参照）。
【０００３】
サムネイルイメージは、動画ファイルから先頭のＩフレームのデータを読み出し、これをデコードし、サムネイル表示用のフォーマットとサイズの静止画像データに変換する処理を実施することにより生成される。このため、複数の動画ファイルをサムネイル表示する場合は、上記処理に時間を要し、ユーザは、応答性の悪さを感じることがある。また、バッテリ駆動する携帯端末にあっては、サムネイル表示を繰り返すと、バッテリ電力を繰り返し消費することになる。  
また、デジタルテレビ放送の動画ファイルの場合、生成したサムネイルイメージについても、著作権管理が必要である。
【先行技術文献】
【特許文献】
【０００４】
【特許文献１】特開２００２−２８１４３２公報
【発明の概要】
【発明が解決しようとする課題】
【０００５】
従来、動画ファイルのサムネイルイメージの生成には、処理時間が要するため、サムネイルの一覧表示が完了するまでに時間を要し、ユーザは応答性の悪さを感じるという問題があった。
【０００６】
この発明は上記の問題を解決すべくなされたもので、動画ファイルのサムネイルイメージを一覧表示を完了するまでに時間を短縮するとともに、サムネイルイメージの管理を効率的に行うことが可能な動画像表示装置および動画像表示方法を提供することを目的とする。
【課題を解決するための手段】
【０００７】
実施形態によれば、画像を表示する表示手段と、複数の動画ファイルを記憶する第１記憶手段と、揮発性の記憶媒体を用いて情報を記憶する第２記憶手段と、第１記憶手段が記憶する動画ファイルの識別情報が対応づけられたサムネイル画像を第２記憶手段が記憶していない動画ファイルについては、この動画ファイルからサムネイル画像を生成して表示手段に表示するとともに、この生成したサムネイル画像を動画ファイルの識別情報に対応づけて第２記憶手段に記録し、一方、第１記憶手段が記憶する動画ファイルの識別情報が対応づけられたサムネイル画像を第２記憶手段が記憶している動画ファイルについては、サムネイル画像を第２記憶手段から読み出して表示手段に表示するサムネイル表示制御手段とを具備して構成するようにした。
【発明の効果】
【０００８】
以上述べたように、一度表示したサムネイル画像を、元となる動画ファイルの識別情報に対応づけて揮発性の第２記憶手段に記録しておき、後に、動画像ファイルのサムネイル画像を表示する際に第２記憶手段が記憶するサムネイル画像を表示するようにしている。
【０００９】
したがって、保存しておいたサムネイル画像を利用できるので、動画ファイルのサムネイルイメージを一覧表示を完了するまでに時間を短縮でき、また動画像ファイルの識別情報を用いるので、サムネイルイメージの管理を効率的に行うことが可能な動画像表示装置および動画像表示方法を提供できる。
【図面の簡単な説明】
【００１０】
【図１】この発明に係わる動画像表示装置の一実施形態の構成を示す回路ブロック図。
【図２】図１に示した動画像表示装置のサムネイルイメージの管理動作を説明するためのフローチャート。
【図３】図１に示した動画像表示装置のサムネイルイメージの管理動作を説明する図。
【発明を実施するための形態】
【００１１】
以下、図面を参照して、この発明の一実施形態について説明する。  
この発明の一実施形態に係わる動画像表示装置は、例えば、デジタルテレビ放送録画機、動画撮影機能付き携帯電話機やディジタルカメラ、PDA(Personal Digital Assistants)など、動画像ファイルを保存し、再生する機能を備えた機器である。以下の説明では、動画像表示装置の一例として、多機能型の携帯電話機、いわゆるスマートフォンを例に挙げて説明する。
【００１２】
図１に示すように、この発明に係わる携帯電話機は、主な構成要素として、制御部１００と、無線通信部１０と、表示部２０と、通話部３０と、操作部４０と、記憶部５０と、放送受信部６０と、GPS受信部７０と、ディジタルカメラ８０と、赤外線通信部９０とを備える。主な機能としては、基地局装置BSおよび移動通信網MNを介して、音声通信やデータ通信を行う通信機能と、放送局BCから送信される地上デジタル放送信号を受信する放送受信機能と、上記通信機能および上記放送受信機能によって取得した著作権付きの動画ファイルを保存（録画）する動画データ保存機能、自己の位置を測位する測位機能、他の携帯電話機MSと赤外線通信を行う赤外線通信機能などを備えるとともに、これらを利用したアプリケーションソフトウェアを実行する機能を備える。その他、Bluetooth（登録商標）や、非接触型の近距離無線通信により、クレジット決済を行う機能や、交通機関の利用や商品購入代金の支払いを行う電子マネー機能などを備える。
【００１３】
無線通信部１０は、制御部１００の指示にしたがって、移動通信網MNに収容された基地局装置BSと無線通信を行うものであって、これにより音声データや電子メールデータなどの送受信、Webデータや、動画像のストリーミングデータなどの受信を行う。  
表示部２０は、制御部１００の制御により、画像（静止画像および動画像）や文字情報などを表示して、視覚的にユーザに情報を伝達するものである。例えば、複数の動画ファイルのサムネイルイメージを表示する。
【００１４】
通話部３０は、スピーカ３１やマイクロホン３２を備え、マイクロホン３２を通じて入力されたユーザの音声を制御部１００にて処理可能な音声データに変換して制御部１００に出力したり、無線通信部１０を介して通話相手などから受信した音声データを復号してスピーカ３１から出力するものである。
【００１５】
操作部４０は、複数のキースイッチなどの他に、上記表示部２０上に設けられたタッチパネルを備え、これを通じてユーザから指示を受け付けるものである。タッチパネルは、抵抗膜方式、静電容量式、電磁誘導式などいずれの方式でもよく、ユーザが操作したタッチパネル上の座標を検出し、これを制御部１００に通知する。
【００１６】
なお、制御部１００は、操作部４０から通知された座標に基づき、この座標に対応する表示部２０上の表示領域に表示しているアイコンや機能キーを検出し、これに対する操作として認識する。操作は、ワンクリック、ダブルクリック、ドラッグ、その他、多点接触によるアクションなどを検出して、ユーザが意図する命令（選択、実行、移動、表示の拡大や縮小、画面スライド（ページ送り）など）を制御部１００が認識し、実行する。
【００１７】
記憶部５０は、制御部１００の制御プログラムや制御データ、アプリケーションソフトウェア、通信相手の名称や電話番号などを対応づけたアドレスデータ、送受信した電子メールのデータ、WebブラウジングによりダウンロードしたWebデータや、ダウンロードしたコンテンツデータを記憶する。記憶部５０は、制御部１００の制御により、動画像のストリーミングデータや、地上デジタル放送の放送データ、後述するディジタルカメラ８０によって得た画像データ（静止画像および動画像）を記憶する。記憶部５０は、HDDや、フラッシュメモリ（NAND型メモリ）などのハードウェアを用いて実現される。
【００１８】
放送受信部６０は、放送局BCから送信される地上デジタル放送信号のうち、ワンセグメントを受信し、映像信号が例えばH.264などの形式で符号化された放送データ（符号化ストリーム）を得る。なお、ここでは、放送受信部６０は、低フレームレートのワンセグメントを受信する場合を例に挙げるが、これに限らず、より高いフレームレートのフルセグメントを受信するディジタルチューナであってもよい。また放送局BCは、広域に対して放送を行う通常の放送局でもよいし、大型店舗や公共施設などの特定の地域を受信エリアとするエリア限定の放送局であってもよい。
【００１９】
GPS受信部７０は、GPS衛星ST1〜STnから送信されるGPS(Global Positioning System)信号を受信して、位置（緯度、経度、高度）を測位するものであって、この測位によって得た位置情報（緯度、経度、高度）を制御部１００に出力する。
【００２０】
ディジタルカメラ８０は、CCD(Charge-Coupled Device)あるいはCMOS(Complementary Metal Oxide Semiconductor)などの撮像素子を用いて撮像を行うディジタルカメラであって、制御部１００によって制御され、撮像によって静止画像または動画像を得て、これらの画像データを制御部１００に出力する。
【００２１】
赤外線通信部９０は、赤外線通信機能を有する対向機器（例えば、他の携帯電話機MS）と赤外線通信を行うものであって、制御部１００によって動作設定がなされ、制御部１００から与えられる送信データを赤外線光で送信したり、対向機器から赤外線光で送信されるデータを受信し、これを受信データとして制御部１００に出力する。
【００２２】
制御部１００は、マイクロプロセッサを備え、記憶部５０が記憶する制御プログラムや制御データにしたがって動作し、当該移動無線端末装置の各部を統括して制御するものであって、例えば音声通信やデータ通信を行うために、通信系の各部を制御する通信制御機能と、電子メールの作成や送受信を行うためのメールソフトウェアや、Webブラウジングを行うためのブラウザソフトウェア、ストリーミングデータのダウンロードや再生を行うためのメディア再生ソフトウェア、放送局BCから送信される地上デジタル放送信号を受信するための放送受信ソフトウェア、ディジタルカメラ８０を制御して撮影を行う画像処理ソフトウェア、QR(Quick Response)コード（登録商標）を画像解析により復号する画像解析ソフトウェアを実行し、これらに係わる各部を制御するアプリケーション処理機能を備える。
【００２３】
制御部１００は、メディア再生ソフトウェアを実行して無線通信部１０を制御し、この無線通信部１０を通じた通信により、インターネットNWに接続されるサーバ装置SVからストリーミングデータをダウンロードし、記憶部５０に保存する。また制御部１００は、放送受信ソフトウェアを実行して放送受信部６０を制御し、放送データを受信させ、記憶部５０に保存する。そしてまた制御部１００は、画像処理ソフトウェアを実行してディジタルカメラ８０を制御し、静止画像や動画像を撮影して、これによって得た画像データを記憶部５０に保存する。
【００２４】
なお、以下の説明では、サーバ装置SVから得たストリーミングデータ、放送受信部６０によって得た放送データ、ディジタルカメラ８０によって得た動画像の画像データを、動画ファイルと称する。また記憶部５０は、これらの動画ファイルに著作権に基づいた利用ルール（著作権情報）が設定されている場合は、著作権情報も合わせて記憶し、制御部１００によって著作権を保護するように動画ファイルが管理される。
【００２５】
また制御部１００は、キャッシュメモリ１０１を備える。キャッシュメモリ１０１は、DRAMなどの揮発性メモリであって、制御部１００の機能停止に合わせて、記憶しているデータは消滅するもので、制御部１００によるデータ処理の作業領域として用いられるワークメモリである。例えば、制御部１００が、記憶部５０に記憶される複数の動画ファイルのサムネイルイメージを生成する際に、生成したサムネイルイメージを上記キャッシュメモリ１０１に記録する。
【００２６】
次に、上記構成の携帯電話機の動作について説明する。なお、以下の説明では、通常の音声通信や、ディジタルテレビ放送の受信、ストリーミングデータの受信などの動作説明は省略し、動画ファイルのサムネイルイメージの生成と表示に関わるサムネイル表示処理について説明する。
【００２７】
図２は、上記サムネイル表示処理を説明するフローチャートであって、制御部１００によって実行される。このフローチャートを実現するための制御プログラムや制御データは、記憶部５０に記憶され、制御部１００によって実行されることにより、上記サムネイル表示処理が実現する。
【００２８】
なお、この処理は、ユーザから操作部４０を通じて、動画ファイルを格納するフォルダを開く操作が行われると、そのフォルダ内に格納される各動画ファイ毎に実行される。すなわち、例えば開く操作が行われたフォルダ内に、３つの動画ファイルが格納される場合には、３つの動画ファイルについて、それぞれ図２に示す処理が実行される。
【００２９】
また以下の説明では、例として、図３に示すように、動画ファイルが記憶部５０に保存されているものとして説明する。すなわち、記憶部５０は、３つのフォルダ５０ａ、５０ｂ、５０ｃを備える。そして、フォルダ５０ａには、３つの動画ファイル（ファイル名：MOVIE_1、MOVIE_2、MOVIE_3）が格納され、またフォルダ５０ｂには、２つの動画ファイル（ファイル名：MOVIE_1、MOVIE_2）が格納され、そしてフォルダ５０ｃには、１つの動画ファイル（ファイル名：MOVIE_1）が格納され、このように仮想的に階層分けされて、同じファイル名を有する動画ファイルが別のフォルダに保存されている。またキャッシュメモリ１０１は、フォルダ１０１ａを備え、この仮想領域に、サムネイルイメージを保存している。
【００３０】
まずステップ２ａにおいて制御部１００は、操作部４０を通じたユーザ操作によって指定されたフォルダ（５０ａ、５０ｂ、５０ｃのいすれか１つ）に格納されている動画ファイルのうち、１つを選択して、この選択した動画ファイル（以下、対象ファイルと称する。）に固有に設定される固有識別情報（ＩＤ）を抽出し、ステップ２ｂに移行する。なお、固有識別情報（ＩＤ）は、動画ファイルのファイル名、ファイルサイズ、データ種別などの情報とともに、動画ファイルの管理データの一部として存在している。
【００３１】
ステップ２ｂにおいて制御部１００は、キャッシュメモリ１０１のフォルダ１０１ａに記憶される対応テーブルを参照し、ステップ２ａで抽出した固有識別情報（ＩＤ）に対応づけられたサムネイルイメージがあるかを判定する。
【００３２】
なお、上記対応テーブルは、キャッシュメモリ１０１のフォルダ１０１ａに記憶されるサムネイルイメージの識別情報と、固有識別情報（ＩＤ）との対応を示す情報を記録したものである。また対応テーブルには、各サムネイルイメージについて、最後に参照した時刻を示す最終参照時刻情報も記録されている。
【００３３】
ここで、固有識別情報（ＩＤ）に対応づけられたサムネイルイメージが存在する場合には、ステップ２ｃに移行し、一方、固有識別情報（ＩＤ）に対応付けられたサムネイルイメージが存在しない場合には、ステップ２ｄに移行する。
【００３４】
ステップ２ｃにおいて制御部１００は、ステップ２ａで抽出した固有識別情報（ＩＤ）に対応づけられたサムネイルイメージを、フォルダ１０１ａから読み出すとともに、対応テーブルを更新して、ステップ２ｈに移行する。すなわち、対応テーブルに記録される固有識別情報（ＩＤ）のうち、ステップ２ａで抽出した固有識別情報（ＩＤ）に対応づけられた最終参照時刻情報を現在時刻に更新する。
【００３５】
一方、ステップ２ｄにおいて制御部１００は、対象ファイルから、先頭のＩフレームのデータを読み出して、これをデコードし、予め設定されたサイズ（解像度）の静止画像データおよびこのデータの識別情報を生成する。すなわち、対象ファイルのサムネイルイメージとその識別情報をそれぞれ生成し、ステップ２ｅに移行する。
【００３６】
ステップ２ｅにおいて制御部１００は、フォルダ１０１ａに予め割り当てられた記憶領域に、ステップ２ｄで生成したサムネイルイメージを記憶できる空き容量があるか否かを判定する。すなわち、フォルダ１０１ａ内に収められているサムネイルイメージのデータ総量が、予め設定されたデータ量以下で、ステップ２ｄで生成したサムネイルイメージをさらに収めるだけの空き容量を有するかを判定する。
【００３７】
ここで、上記空き容量がない場合には、ステップ２ｆに移行し、一方、上記空き容量がある場合には、ステップ２ｇに移行する。なお、容量ではなく、保存するサムネイルイメージ数を管理し、この数が上限値（閾値）に達しているか否かを判定するようにしてもよい。この場合、上限値に達している場合には、ステップ２ｆに移行し、一方、上限値に達していない場合には、ステップ２ｇに移行する。
【００３８】
ステップ２ｆにおいて制御部１００は、キャッシュメモリ１０１のフォルダ１０１ａに記憶される対応テーブルを参照し、最も古い最終参照時刻情報が対応づけられたサムネイルイメージを検出し、これをフォルダ１０１ａから削除して空き領域を生成するとともに、この削除したサムネイルイメージに関する情報（固有識別情報および最終参照時刻情報）を対応テーブルから削除し、ステップ２ｇに移行する。
【００３９】
ステップ２ｇにおいて制御部１００は、ステップ２ｄで生成したサムネイルイメージをキャッシュメモリ１０１のフォルダ１０１ａに記録するとともに、対応テーブルを更新して、ステップ２ｈに移行する。すなわち、対応テーブルに、ステップ２ａで抽出した固有識別情報（ＩＤ）と、ステップ２ｄで生成したサムネイルイメージの識別情報と、最終参照時刻情報を対応づけて記録する。最終参照時刻情報には、現在時刻を記録する。
【００４０】
ステップ２ｈにおいて制御部１００は、ステップ２ｃで読み出したサムネイルイメージ、もしくはステップ２ｄで生成したサムネイルイメージを表示部２０に表示し、当該処理を終了する。  
以上の処理を、操作部４０を通じたユーザ操作によって指定されたフォルダ内のすべての動画ファイルについて実行する。これにより、上記フォルダ内のすべての動画ファイルのサムネイルイメージが表示部２０に表示されることになる。
【００４１】
なお、上記の説明では、サムネイルイメージの最終参照時刻情報を対応テーブルに記憶し、この最終参照時刻情報に基づいてフォルダ１０１ａ内に空き領域を生成することとして説明したが、これに限らず、フォルダ１０１ａをリングバッファとすることでサムネイルイメージを管理することも可能である。
【００４２】
つまり、サムネイルイメージが参照された場合は、このサムネイルイメージと、固有識別情報（ＩＤ）とサムネイルイメージの識別情報とをリングバッファの先頭位置に移動または新規に登録すればよい。このようにすることで、フォルダ１０１ａに空き領域を確保する必要があるときは、リングバッファの最後尾から順に消去が行われるので、最終参照時刻情報を一緒に持つ必要がなくなる。また、固有識別情報（ＩＤ）とサムネイルイメージの識別情報をリングバッファ中で管理し、サムネイルイメージはリングバッファ以外の領域に記憶させてもよい。
【００４３】
また、記憶部５０内のフォルダ５０ａ、５０ｂ、５０ｃにそれぞれ格納される動画ファイルと、キャッシュメモリ１０１内のフォルダ１０１ａに格納されるサムネイルイメージとの関係を、図３に示している。
【００４４】
すなわち、ユーザから操作部４０を通じて、フォルダ５０ａを開く操作が行われると、各動画ファイルの固有識別情報（ＩＤ）に対応づけられたサムネイルイメージが生成され、キャッシュメモリ１０１のフォルダ１０１ａに記録される。フォルダ５０ｂ、５０ｃに格納される動画ファイルについても同様に、サムネイルイメージが生成される。
【００４５】
ここで、記憶部５０内のフォルダ５０ａ、５０ｂ、５０ｃには、例えばMOVIE_1、MOVIE_2といった同じファイル名を有する動画ファイルが存在するが、サムネイルイメージは、各動画ファイルの固有識別情報（ＩＤ）に対応づけて管理されるため、同じファイル名の動画ファイルのサムネイルイメージを表示する必要が生じた場合でも、それらを区別して対応するサムネイルイメージをフォルダ１０１ａから読み出して表示することができる。
【００４６】
以上のように、上記構成の動画像表示装置では、一度サムネイルイメージを表示した動画ファイルについては、キャッシュメモリ１０１に保存しておき、再びその動画ファイルのサムネイルイメージを表示する場合には、キャッシュメモリ１０１から読み出して表示するようにしている。
【００４７】
したがって、上記構成の動画像表示装置によれば、一度サムネイルイメージを表示した動画ファイルについては、動画ファイルのデコード処理などを省略できるので、動画ファイルのサムネイルを表示するときに、一覧表示が完了するまでの時間を短縮でき、応答性を改善できる。
【００４８】
また、キャッシュメモリ１０１に保持しておくサムネイルイメージを最後に表示した時刻について、対応テーブルの最終参照時刻情報で管理し、新規のサムネイルイメージを作成した場合に、最も用いられないサムネイルイメージを削除して、代わりに新規のサムネイルイメージを保持するLRU(Least Recently Used)を実施して、キャッシュメモリ１０１を効率的に活用するようにしている。
【００４９】
そしてまた、キャッシュメモリ１０１に保持しておくサムネイルイメージは、動画ファイルの固有識別情報（ＩＤ）に対応づけて管理するようにしているので、記憶部５０上の異なるフォルダに同じファイル名の動画ファイルが存在する場合でも、対応するサムネイルイメージを正確に表示することができる。
【００５０】
さらに、上記実施の形態では、サムネイルイメージは、記憶部５０ではなく、キャッシュメモリ１０１に保持するようにしているので、サムネイルイメージが著作権付きの動画ファイルであっても、記憶部５０に保持する場合に比べて外部から読み出すことが格段に困難であり、著作権を保護することができる。
【００５１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５２】
その一例として例えば、上記実施の形態では、動画ファイルの固有識別情報（ＩＤ）とサムネイルイメージを紐づけた情報（対応テーブル）を生成し、これに基づいて、キャッシュメモリ１０１に保持しているサムネイルイメージを管理するようにした。
【００５３】
これに代わって例えば、作成したサムネイルイメージのファイル名、あるいはファイル名の一部に、動画ファイルの固有識別情報（ＩＤ）を設定して、サムネイルイメージをキャッシュメモリ１０１に保持し、キャッシュメモリ１０１に保持したサムネイルイメージを表示した場合に、そのサムネイルイメージの作成日時の情報を現在時刻に更新する。そして、上記作成日時に基づくLRUを実施して、新規に作成したサムネイルイメージをキャッシュメモリ１０１に保持するために、最も古いサムネイルイメージを削除するようにしてもよい。このような構成でも、同様の効果を得られる。
【００５４】
またステップ２ｆにおいて制御部１００は、最も古い最終参照時刻情報が対応づけられたサムネイルイメージを検出し、これを削除するようにしたが、フォルダ毎に判定するようにしてもよい。すなわち、図２の処理を開始するために開かれたフォルダに格納される動画ファイルに対応づけられたサムネイル画像に限定し、このうち、最も古い最終参照時刻情報が対応づけられたサムネイルイメージを検出し、これを削除するようにしてもよい。  
その他、この発明の要旨を逸脱しない範囲で種々の変形を施しても同様に実施可能であることはいうまでもない。
【符号の説明】
【００５５】
１０…無線通信部、２０…表示部、３０…通話部、３１…スピーカ、３２…マイクロホン、４０…操作部、５０ａ，５０ｂ，５０ｃ，１０１ａ…フォルダ、５０…記憶部、６０…放送受信部、７０…GPS受信部、８０…ディジタルカメラ、９０…赤外線通信部、１００…制御部、１０１…キャッシュメモリ、BC…放送局、BS…基地局装置、MN…移動通信網、MS…携帯電話機、NW…インターネット、ST1〜STn…GPS衛星、SV…サーバ装置。
【図１】
2011193387.tif 000003
【図２】
2011193387.tif 000004
【図３】
2011193387.tif 000005